(57)【要約】      （修正有）【課題】石油系油類等で汚染された土壌を処理水と不溶化処理剤を用いて、油類等と改良土壌に分離することができる土壌改良装置を提供する。【解決手段】石油系油類等で汚染された土壌を改質する土壌改良装置において、処理タンク２０内で汚染土壌を処理水と不溶化処理剤で混和、攪拌する。攪拌には、強力な圧搾空気を噴射するノズル４〜１２を用いる。この場合、処理タンク２０内で処理液がオーバーフローするため処理タンク２０との間の仕切りゲート１６を閉じて行う。攪拌後に不溶化処理剤が汚染土壌の油類等を吸着して、処理タンク２０の上部で浮遊する。次に仕切りゲート１６を開いて、その油吸着浮遊物質２４を落差のある集積タンク１９に移送して、小さい穴の開いた分離板１８の上部より流して油分と水分とに分離する、油吸着浮遊物質は取出口２７より取り出して廃棄物処理をする。処理タンク２０の下部に残存している改良土壌２３は土壌搬送装置１を用いて土壌搬出ゲート３より土壌改良装置の外部に搬出する。【選択図】図１
0003143226.tif 000002
【実用新案登録請求の範囲】
【請求項１】
石油系油類等で汚染された土壌を改質する土壌改良装置において、汚染土壌と不溶化処理剤、処理水を圧搾空気よって混和攪拌する混合装置を備えたことを特徴とする土壌改良装置。
【請求項２】
石油系油類等で汚染された土壌を改質する土壌改良装置において、汚染土壌と不溶化処理剤及び処理水を混和攪拌した結果、混合装置の上部に不溶化処理剤と石油系油類等が反応して吸着物質が浮遊する、その浮遊物を集積して、小さなメッシュの金網でできた分離板により油分と水分に分離できる装置を具備した請求項１に記載の土壌改良装置。
【請求項３】
石油系油類等で汚染された土壌を改質する土壌改良装置において、混合装置の上部に不溶化処理剤と石油系油類等が反応して吸着物質が浮遊する、その浮遊物を集積移動した後、処理タンク内に残存する処理水や集積タンクで発生した油分と分離できた水分を次回の処理用として利用できる貯蔵タンクを具備した請求項１または請求項２に記載の土壌改良装置。
【請求項４】
石油系油類等で汚染された土壌を改質する土壌改良装置において、混和装置で不溶化処理剤と石油系油類等が反応して捕縛物質が浮遊する、その浮遊物を取り除いた後、混和装置の下部に装置残る良質土壌を土壌改良装置の外部へ搬出を具備した請求項１、請求項２または請求項３に記載の土壌改良装置。
【考案の詳細な説明】
【考案の詳細な説明】
【技術の分野】
【０００１】本新案は、石油系油類等で汚染された土壌中の油類を不溶化処理剤によって吸着させて、分離させる土壌改良装置に関するものである。
【背景技術】
【０００２】近年、石油系油類等といった特定有害物質による土壌汚染の問題が顕著化してきており、健康に対する影響の懸念から土壌汚染の対策措置を確立することが社会的に強く要請され、２００３年２月、土壌汚染対策法が施行された。この土壌汚染対策法では、汚染の発覚があった土地所有者は必要な対策措置を講じなければならない。
【背景技術】
【０００３】石油系油類等で汚染された土壌中の油類の分離処理方法は、生石灰や界面活性剤等を使用する多様な方法、装置があるので、先行技術文献情報は特に記載しない。
【考案が解決するための課題】
【０００４】石油系油類等で汚染された土壌中の油類の分離処理をする時、処理水や不溶化処理剤を混和攪拌する時、多大なエネルギーが必要となり攪拌機材の損傷も多大となる。
【０００５】石油系油類等で汚染された土壌中の油類を不溶化処理剤によって吸着させると処理タンクの上部界面に油を吸着した浮遊物が発生する。その油吸着浮遊物を別タンクに集積して、小さなメシュの金網からできた分離板によって油分と水分に分離回収する方法。
【０００６】油吸着浮遊物を別タンクに回収した後、処理タンク内の残存処理水と分離板によって分離された水分を次回の油分離処理に利用する方法。
【０００７】石油系油類等で汚染された土壌中の油類の分離処理した後、土壌改良装置内の処理タンクの下部に残留している泥状の良質土壌を改良装置の外部に搬出する方法。
【考案が解決するための手段】
【０００８】請求項１に記載された考案においては、石油系油類等で汚染された土壌中の油類の分離処理をする時、処理水や不溶化処理剤を混和攪拌する時、多大なエネルギーが必要となり攪拌機材の損傷も多大になるため、噴射角度の調整が可能な圧搾空気によるノズル噴射器（４〜１２）を処理タンク（２０）に９基装備して混和攪拌を容易にする。
【０００９】請求項２に記載された考案においては、石油系油類等で汚染された土壌中の油類を不溶化処理剤によって吸着させると処理タンク（２０）の上部界面に油吸着浮遊物（２４）が発生する。その油吸着浮遊物を別タンクに集積して回収する方法として、処理タンクに隣接する場所に開閉可能なゲート（１６）で仕切った段差のある集積タンク（１９）を具備して油吸着浮遊物質（２４）を集積する、この開閉可能なゲート（１６）は攪拌中、処理タンクのオーバーフローを防ぐため閉めている。その結果、処理タンク上部に残った浮遊物はノズル噴射器（１２）で浮遊界面において送風移動させて集積タンク（１９）に移動させる。集積タンク（１９）内では油と水の表面張力の差を利用した小さなメッシュ状の油分水分分離板（１７）において、上層に分離油分（３１）、下層に分離水滴として分別される。
【００１０】請求項３に記載された考案においては、油吸着浮遊物（２４）を集積タンク（１９）に集積して回収した後、処理タンク（２０）内の残存処理水（２８）を次回の処理に利用する方法として処理タンク内ある土壌搬送装置（１）の下部のスペースを貯水タンク（２１）として利用する。これにより処理水の節水と油類と吸着されなかった不溶化処理剤の節約ができる。
【００１１】請求項４に記載された考案においては、石油系油類等で汚染された土壌中の油類の分離処理した後、土壌改良装置内の処理タンク（１８）の下部に残留している泥状の良質土壌を改良装置の外部に搬出する方法として、螺旋形状のスクリューを具備した搬出装置（１）を考案する。
【図面の簡単な説明】
【００１２】
【図１】本考案の概略図
【図２】本考案の正面図
【図３】本考案の横面図
【符号の説明】
【００１３】１．  土壌搬出装置      （図１）
２．  土壌搬入口        （図１）
３．  土壌搬出ゲート    （図１）
４．  ノズル噴射器      （図１）
５．  ノズル噴射器      （図１）
６．  ノズル噴射器      （図１）
７．  ノズル噴射器      （図１）
８．  ノズル噴射器      （図１）
９．  ノズル噴射器      （図１）
１０．ノズル噴射器      （図１）
１１．ノズル噴射器      （図２）
１２．集積用ノズル噴射器（図１）
１３．スプロケット      （図１）
１４．搬出装置モーター  （図１）
１５．圧搾空気導管      （図１）
１６．仕切りゲート      （図１）
１７．油分水分分離板    （図１）
１８．集積タンク入口    （図１）
１９．集積タンク        （図１）
２０．処理タンク        （図１）
２１．貯水タンク        （図１）
２２．水移動パイプ      （図２）
２３．改良土壌          （図２）
２４．油吸着浮遊物      （図２）
２５．分離水滴          （図３）
２６．貯水タンクパイプ  （図３）
２７．油分取出口        （図３）
２８．残存処理水        （図２）
２９．搬入コンベアー    （図２）
３０．汚染土壌          （図２）
３１．分離油分          （図３）
【図１】
0003143226.tif 000003
【図２】
0003143226.tif 000004
【手続補正書】
【提出日】平成19年11月17日(2007.11.17)
【手続補正１】
【補正対象書類名】実用新案登録請求の範囲
【補正の内容】
0003143226.tif 000005
0003143226.tif 000006
0003143226.tif 000007
0003143226.tif 000008
0003143226.tif 000009
0003143226.tif 000010
【手続補正書】
【提出日】平成19年12月28日(2007.12.28)
【手続補正２】
【補正対象書類名】明細書
【補正対象項目名】００１２
【補正方法】変更
【補正の内容】
【００１２】
【図１】本考案の概略図
【図２】本考案の正面図
【図３】本考案の横面図
【図４】本考案の超音波発生装置とフロート付吸水ポンプ
【手続補正３】
【補正対象書類名】図面
【補正対象項目名】全図
【補正方法】変更
【補正の内容】
【図１】
0003143226.tif 000011
【図２】
0003143226.tif 000012
【図３】
0003143226.tif 000013
【図４】
0003143226.tif 000014
【手続補正書】
【提出日】平成20年5月9日(2008.5.9)
【手続補正１】
【補正対象書類名】実用新案登録請求の範囲
【補正対象項目名】全文
【補正方法】変更
【補正の内容】
【実用新案登録請求の範囲】
【請求項１】
石油系油類等で汚染された土壌を改質する土壌改良装置において、汚染土壌と不溶化処理剤、処理水を圧搾空気よって混和攪拌する混合装置を備えたことを特徴とする土壌改良装置。
【請求項２】
石油系油類等で汚染された土壌を改質する土壌改良装置において、汚染土壌と不溶化処理剤及び処理水を混和攪拌した結果、混合装置の上部に不溶化処理剤と石油系油類等が反応して吸着物質が浮遊する、その浮遊物を集積して、小さなメッシュの金網でできた分離板により油分と水分に分離できる装置を具備した請求項１に記載の土壌改良装置。
【請求項３】
石油系油類等で汚染された土壌を改質する土壌改良装置において、混合装置の上部に不溶化処理剤と石油系油類等が反応して吸着物質が浮遊する、その浮遊物を集積移動した後、処理タンク内に残存する処理水や集積タンクで発生した油分と分離できた水分を次回の処理用として利用できる貯蔵タンクを具備した請求項１または請求項２に記載の土壌改良装置。
【請求項４】
石油系油類等で汚染された土壌を改質する土壌改良装置において、混和装置で不溶化処理剤と石油系油類等が反応して捕縛物質が浮遊する、その浮遊物を取り除いた後、混和装置の下部に装置残る良質土壌を土壌改良装置の外部へ搬出を具備した請求項１、請求項２または請求項３に記載の土壌改良装置。
【請求項５】
石油系油類等で汚染された土壌を改質する土壌改良装置において、汚染土壌と不溶化処理剤、処理水を超音波の振動によって混和攪拌する混合装置を備えたことを特徴とする請求項１、請求項２、請求項３または請求項４に記載の土壌改良装置。
【請求項６】
石油系油類等で汚染された土壌を改質する土壌改良装置において、混合装置の上部に不溶化処理剤と石油系油類等が反応して吸着物質が浮遊する、その浮遊物を集積移動した後、処理タンク内に残存する処理水の上面部分にはゴミ等が浮遊しているので、その下層部分より吸水の可能なフロート付きポンプを具備した請求項１、請求項２、請求項３、請求項４または請求項５に記載の土壌改良装置。
【手続補正２】
【補正対象書類名】手続補正書
【補正対象項目名】手続補正２
【補正方法】削除
【補正の内容】
【手続補正３】
【補正対象書類名】手続補正書
【補正対象項目名】手続補正３
【補正方法】変更
【補正の内容】
【手続補正３】
【補正対象書類名】明細書
【補正対象項目名】全文
【補正方法】変更
【補正の内容】
【考案の詳細な説明】
【技術分野】
【０００１】本新案は、石油系油類等で汚染された土壌中の油類を不溶化処理剤によって吸着させて、分離させる土壌改良装置に関するものである。
【背景技術】
【０００２】近年、石油系油類等といった特定有害物質による土壌汚染の問題が顕著化してきており、健康に対する影響の懸念から土壌汚染の対策措置を確立することが社会的に強く要請され、２００３年２月、土壌汚染対策法が施行された。この土壌汚染対策法では、汚染の発覚があった土地所有者は必要な対策措置を講じなければならない。
【背景技術】
【０００３】石油系油類等で汚染された土壌中の油類の分離処理方法は、生石灰や界面活性剤等を使用する多様な方法、装置があるので、先行技術文献情報は特に記載しない。
【考案が解決するための課題】
【０００４】石油系油類等で汚染された土壌中の油類の分離処理をする時、処理石油系油類等で汚染された土壌中の油類の分離処理をする時、処理水や不溶化処理剤を混和攪拌する時、多大なエネルギーが必要となり攪拌機材の損傷も多大となる。
【０００５】石油系油類等で汚染された土壌中の油類を不溶化処理剤によって吸着させると処理タンクの上部界面に油を吸着した浮遊物が発生する。
その油吸着浮遊物を別タンクに集積して、小さなメシュの金網からできた分離板によって油分と水分に分離回収する方法。
【０００６】油吸着浮遊物を別タンクに回収した後、処理タンク内の残存処理水と分離板によって分離された水分を次回の油分離処理に利用する方法。
【０００７】石油系油類等で汚染された土壌中の油類の分離処理した後、土壌改良装置内の処理タンクの下部に残留している泥状の良質土壌を改良装置の外部に搬出する方法。
【考案が解決するための手段】
【０００８】請求項１に記載された考案においては、石油系油類等で汚染された土壌中の油類の分離処理をする時、処理水や不溶化処理剤を混和攪拌する時、多大なエネルギーが必要となり攪拌機材の損傷も多大になるため、噴射角度の調整が可能な圧搾空気によるノズル噴射器（４〜１２）を処理タンク（２０）に９基装備して混和攪拌を容易にする。
【０００９】請求項２に記載された考案においては、石油系油類等で汚染された土壌中の油類を不溶化処理剤によって吸着させると処理タンク（２０）の上部界面に油吸着浮遊物（２４）が発生する。その油吸着浮遊物を別タンクに集積して回収する方法として、処理タンクに隣接する場所に開閉可能なゲート（１６）で仕切った段差のある集積タンク（１９）を具備して油吸着浮遊物質（２４）を集積する、この開閉可能なゲート（１６）は攪拌中、処理タンクのオーバーフローを防ぐため閉めている。その結果、処理タンク上部に残った浮遊物はノズル噴射器（１２）で浮遊界面において送風移動させて集積タンク（１９）に移動させる。集積タンク（１９）内では油と水の表面張力の差を利用した小さなメッシュ状の油分水分分離板（１７）において、上層に分離油分（３１）、下層に分離水滴として分別される。
【００１０】請求項３に記載された考案においては、油吸着浮遊物（２４）を集積タンク（１９）に集積して回収した後、処理タンク（２０）内の残存処理水（２８）を次回の処理に利用する方法として処理タンク内ある土壌搬送装置（１）の下部のスペースを貯水タンク（２１）として利用する。これにより処理水の節水と油類と吸着されなかった不溶化処理剤の節約ができる。
【００１１】請求項４に記載された考案においては、石油系油類等で汚染された土壌中の油類の分離処理した後、土壌改良装置内の処理タンク（１８）の下部に残留している泥状の良質土壌を改良装置の外部に搬出する方法として、螺旋形状のスクリューを具備した搬出装置（１）を考案する。
【００１２】請求項５に記載された考案においては、石油系油類等で汚染された土壌中の油類の分離処理をする時、処理水や不溶化処理剤を混和攪拌する時、多大なエネルギーが必要となり攪拌機材の損傷も多大になるため、超音波の振動エネルギーを利用した超音波発生装置（３２）により、ノズル噴射器と共に強力に混和攪拌を行う。
【００１３】請求項６に記載された考案においては、処理タンク（２０）内の残存処理水を貯水タンク（２１）に移送する場合、吸水口（３５）れば、残存処理水の上面に浮遊しているゴミ（３６）と残存処理水を分別できる。
【図面の簡単な説明】
【図１】本考案の概略図である。
【図２】本考案の正面図である。
【図３】本考案の横面図である。
【図４】本考案の超音波発生装置とフロート付吸水ポンプ
【符号の説明】
１．  土壌搬出装置        （図１）
２．  土壌搬入口          （図１）
３．  土壌搬出ゲート      （図１）
４．  ノズル噴射器        （図１）
５．  ノズル噴射器        （図１）
６．  ノズル噴射器        （図１）
７．  ノズル噴射器        （図１）
８．  ノズル噴射器        （図１）
９．  ノズル噴射器        （図１）
１０．ノズル噴射器        （図１）
１１．ノズル噴射器        （図３）
１２．集積用ノズル噴射器  （図１）
１３．スプロケット        （図１）
１４．搬出装置モーター    （図１）
１５．圧搾空気導管        （図１）
１６．仕切りゲート        （図１）
１７．油分水分分離板      （図１）
１８．集積タンク入口      （図１）
１９．集積タンク          （図１）
２０．処理タンク          （図１）
２１．貯水タンク          （図１）
２２．水移動パイプ        （図２）
２３．改良土壌            （図２）
２４．油吸着浮遊物        （図２）
２５．分離水滴            （図３）
２６．貯水タンクパイプ    （図３）
２７．油分取出口          （図３）
２８．残存処理水          （図２）
２９．搬入コンベアー      （図２）
３０．汚染土壌            （図２）
３１．分離油分            （図３）
２９．搬入コンベアー      （図２）
３０．汚染土壌            （図２）
３１．分離油分            （図３）
３２．超音波発生装置      （図４）
３３．フロート付吸水ポンプ（図４）
３４．フロート            （図４）
３５．吸水口              （図４）
３６．浮遊ゴミ            （図４）
【手続補正４】
【補正対象書類名】手続補正書
【補正対象項目名】手続補正４
【補正方法】削除
【補正の内容】
【手続補正５】
【補正対象書類名】手続補正書
【補正対象項目名】手続補正５
【補正方法】削除
【補正の内容】
【手続補正６】
【補正対象書類名】手続補正書
【補正対象項目名】手続補正６
【補正方法】削除
【補正の内容】